(57)【特許請求の範囲】
【請求項１】
所定の長手方向に延びる中央軸、該中央軸の長手方向一端から折れ曲がって該中央軸とは反対の側に傾斜しながら延びる傾斜軸、及び該傾斜軸の先端から折れ曲がって前記長手方向に沿うと共に前記中央軸から遠ざかる方向に延びる挿入軸を有する回転軸と、前記挿入軸が前記長手方向から挿入される挿入穴が形成されると共にこの挿入に伴って前記傾斜軸が嵌まり込んで固定されるスリットが形成された、前記回転軸と共に回転する駆動ギアとを備え、該駆動ギアを回転させることにより、前記挿入軸を延長した直線を中心にして前記回転軸を回転させる回転ユニットにおいて、前記駆動ギアは、前記挿入穴の入口から該挿入穴の奥に向かって傾斜して前記スリットの入口につながった傾斜面が、前記挿入穴の入口部外側であって、この入口部外側を構成する前記駆動ギアの端部の全範囲に形成されたものであることを特徴とする回転ユニット。
【請求項２】
前記駆動ギアは、前記挿入穴を延長した直線を中心にして回転する円板状のギアと、該ギアに直交する方向に該ギアの片面から突出したギア軸とを備え、該ギア軸は、前記挿入穴、前記傾斜面、及び該挿入穴を囲む外壁を切り欠くことにより形成されて該挿入穴と同じ方向に延びる前記スリットが形成されたものであることを特徴とする請求項１に記載の回転ユニット。
【請求項３】
前記傾斜軸が前記長手方向に対して傾斜している第１傾斜角度は、前記傾斜面が前記長手方向に対して傾斜している第２傾斜角度よりも大きい角度か、若しくは該第２傾斜角度と同じ角度であることを特徴とする請求項１又は２に記載の回転ユニット。
【請求項４】
前記回転軸は、その長手方向の両端部それぞれに前記傾斜軸及び前記挿入軸が形成されたものであることを特徴とする請求項１、２、又は３に記載の回転ユニット。
【請求項５】
現像剤が収容される現像剤収容容器から供給された現像剤を撹拌しながら所定方向に搬送する現像剤撹拌装置において、請求項１から４までのうちのいずれか一項に記載された回転ユニットが組み込まれて、該回転ユニットによって現像剤を撹拌しながら前記所定方向に搬送することを特徴とする現像剤撹拌装置。
【発明の詳細な説明】
【０００１】
【発明の属する技術分野】
本発明は、静電潜像に現像剤を供給して現像像を形成する現像装置における現像剤を撹拌しながら所定方向に搬送する現像剤撹拌装置、及びこの現像剤撹拌装置に好適に使用される回転ユニットに関する。
【０００２】
【従来の技術】
コンピュータやワークステーションの出力装置として、粉体の現像剤（トナー）を用いて記録媒体に画像を形成する電子写真方式の画像形成装置が知られている。この画像形成装置には、静電潜像が形成される感光ドラムや、この感光ドラムに形成された静電潜像に現像剤を供給する現像装置などが備えられている。
【０００３】
現像装置は、一般に、現像剤が収容される現像剤収容容器（現像剤収容室）と、この現像剤収容容器に収容された現像剤が搬送されてくる現像部とに大別される。現像部には、感光ドラムに近接して配置された現像スリーブや、現像剤収容容器から搬送されてきた現像剤を現像スリーブに向けて撹拌しながら搬送する撹拌部材が組み込まれている。この撹拌部材によって搬送された現像剤は現像スリーブに到達し、これにより現像スリーブから感光ドラムに現像剤が供給される。
【０００４】
現像スリーブは円柱状のものであり、所定方向に回転しながら現像剤を感光ドラムに供給する。撹拌部材は、この円筒状の現像スリーブに沿って延びる線材などから構成されており、回転することにより現像剤を撹拌しながら搬送する。また、現像部には、現像スリーブの長手方向（円柱の高さ方向）の両端部を回転自在に支持する一対の側壁が形成されている。この一対の側壁には、上記した撹拌部材も回転自在に支持されている。
【０００５】
撹拌部材の長手方向両端部は、通常、Ｌ字状に折れ曲がっている。撹拌部材のうちＬ字の底辺に相当する部分は、その長手方向中央部分にほぼ平行に延びている。一方、撹拌部材のうちＬ字の縦辺に相当する部分はやや傾斜している。
【０００６】
ところで、撹拌部材を上記した一対の側壁に回転自在に支持するに当たっては、外部からの駆動力（回転力）を撹拌部材に伝達する駆動ギアを使用する。この駆動ギアには、撹拌部材のうちＬ字の底辺に相当する部分が挿入される挿入穴が形成されている。また、挿入穴を囲む壁には、Ｌ字の縦辺に相当する部分が差し込まれて固定されるスリットが形成されている。
【０００７】
駆動ギアは、一対の側壁の一方に形成された孔に回転自在に固定される。この駆動ギアには、撹拌部材の長手方向一端部が固定される。なお、撹拌部材の長手方向他端部は、一対の側壁の他方に直接に接触して回転自在に支持される。
【０００８】
駆動ギアに撹拌部材の長手方向一端部を固定するに当たっては、撹拌部材を一対の側壁の間に配置してその長手方向他端部を一対の側壁の他方に支持させておき、側壁の外側からこの側壁の孔に駆動ギアの一部を差し込むと共に、撹拌部材の長手方向一端部のＬ字の底辺部分を駆動ギアの挿入穴に挿入する。この挿入に伴ってＬ字の縦辺部分が駆動ギアのスリットに差し込まれる。これにより、撹拌部材の長手方向一端部が駆動ギアに固定されて、駆動ギアが回転することにより撹拌部材も回転する。
【０００９】
【発明が解決しようとする課題】
ところが、撹拌部材のうちＬ字の底辺部分を駆動ギアの挿入穴に挿入しても、この挿入に伴ってＬ字の縦辺部分が駆動ギアのスリットにスムーズに差し込まれないことがある。この場合、Ｌ字の縦辺部分をスリットに差し込むために、駆動ギアを側壁に強く押し付けて回転させる。この押し付けによって撹拌部材が撓んで変形したままになることがある。この状態で現像スリーブを一対の側壁に組み付けた場合、現像スリーブが撹拌部材に接触して傷付くおそれがある。現像スリーブが傷付いた場合、現像剤が感光ドラムに均等に供給されなくなり、画像不良が発生する。
【００１０】
本発明は、上記事情に鑑み、撹拌部材（回転軸）が無理な変形をせずにこの回転軸に駆動ギアを固定できる現像剤撹拌装置、及びこの現像剤撹拌装置に好適に使用される回転ユニットを提供することを目的とする。
【００１１】
【課題を解決するための手段】
上記目的を達成するための本発明の回転ユニットは、所定の長手方向に延びる中央軸、該中央軸の長手方向一端から折れ曲がって該中央軸とは反対の側に傾斜しながら延びる傾斜軸、及び該傾斜軸の先端から折れ曲がって前記長手方向に沿うと共に前記中央軸から遠ざかる方向に延びる挿入軸を有する回転軸と、前記挿入軸が前記長手方向から挿入される挿入穴が形成されると共にこの挿入に伴って前記傾斜軸が嵌まり込んで固定されるスリットが形成された、前記回転軸と共に回転する駆動ギアとを備え、該駆動ギアを回転させることにより、前記挿入軸を延長した直線を中心にして前記回転軸を回転させる回転ユニットにおいて、前記駆動ギアは、
（１）前記挿入穴の入口から該挿入穴の奥に向かって傾斜して前記スリットの入口につながった傾斜面が形成されたものであることを特徴とするものである。
【００１２】
ここで、
（２）前記駆動ギアは、
（２−１）前記挿入穴を延長した直線を中心にして回転する円板状のギアと、
（２−２）該ギアに直交する方向に該ギアの片面から突出したギア軸とを備え、
（３）該ギア軸は、
（３−１）前記挿入穴、前記傾斜面、及び該挿入穴を囲む外壁を切り欠くことにより形成されて該挿入穴と同じ方向に延びる前記スリットが形成されたものであってもよい。
【００１３】
また、
（４）前記傾斜軸が前記長手方向に対して傾斜している第１傾斜角度は、前記傾斜面が前記長手方向に対して傾斜している第２傾斜角度よりも大きい角度か、若しくは該第２傾斜角度と同じ角度であってもよい。
【００１４】
さらに、前記回転軸は、
（５）その長手方向の両端部それぞれに前記傾斜軸及び前記挿入軸が形成されたものであってもよい。
【００１５】
また、上記目的を達成するための本発明の現像剤撹拌装置は、現像剤が収容される現像剤収容容器から供給された現像剤を撹拌しながら所定方向に搬送する現像剤撹拌装置において、
（６）上記した回転ユニットが組み込まれて、該回転ユニットによって現像剤を撹拌しながら前記所定方向に搬送することを特徴とするものである。
【００１６】
【発明の実施の形態】
以下、図面を参照して本発明の実施形態を説明する。
【００１７】
図１は、本発明の現像剤撹拌装置の一実施形態を備えたプロセスカートリッジが組み込まれた複写機の内部構造を示す模式図である。
【００１８】
複写機１０の頂面には開閉自在な原稿圧着板１２が配置されている。原稿圧着板１２の下には、原稿１５が載置される原稿台ガラス１４が配置されている。また、頂面の正面側には、複写枚数などが入力される操作パネル（図示せず）が配置されている。この複写機１０には、複数枚のカット紙が収容されるユニバーサルカセット１６が複写機１０の本体に出し入れ自在に備えられている。また、複写機１０の右側壁には、葉書などの小サイズの記録紙を給紙できる矩形状の手差しトレイ１８が備えられている。この手差しトレイ１８は、下辺部１８ａを中心にして矢印Ｃ方向に回動し、記録媒体を載置できる位置（二点鎖線で示す位置）まで開く。また、複写機１０の左側壁には、画像が形成された記録紙が積載される排紙トレイ２０が備えられている。
【００１９】
複写機１０で画像を形成する手順を説明する。
【００２０】
原稿台ガラス１４の上面に、画像面が下になるように原稿１５を載置し、原稿圧着板１２で原稿１５を押さえて固定する。原稿１５に記録された画像は、光源ランプ（図示せず）などを備えた周知の光学系２８で読み取られ、原稿に記録された画像の情報を担持する光（破線Ａ）が得られる。この光は、帯電器３０によって一様に帯電された感光ドラム３２に照射され、これにより、感光ドラム３２に静電潜像が形成される。この静電潜像は、現像装置５０から供給されたトナーで現像されて現像像が形成される。
【００２１】
一方、ユニバーサルカセット１６からは記録紙などの記録媒体が矢印Ｂ方向（給紙方向）に給紙され、転写器３６によって現像像が記録媒体に転写される。現像像が転写された記録媒体は、搬送装置３８によって定着器４０に搬送される。定着器４０にはヒートローラ４２とプレスローラ４４が配置されており、これら２つのローラ４２，４４に記録媒体が挟まれながら搬送されて、現像像が記録媒体に定着される。このようにして現像像が定着された記録媒体は排出されて排紙トレイ２０に積載される。なお、転写後に感光ドラム３２に残留したトナーはクリーニング装置４６によって掻き落とされる。また、手差しトレイ１８から記録媒体を給紙することもでき、手差しトレイ１８から給紙された記録媒体に画像が形成される手順も上記と同じである。
【００２２】
上述したように複写機１０には種々の部品や部材が組み込まれている．これらの部品のうち、帯電器３０、感光ドラム３２、クリーニング装置４６、及び現像装置５０は一体的に形成されてプロセスカートリッジ１００を構成している。このプロセスカートリッジ１００は、複写機１０の内部に着脱自在に装着されている。
【００２３】
図２を参照して、プロセスカートリッジ１００を構成する現像装置５０について説明する。
【００２４】
図２は、プロセスカートリッジを示す模式図である。図２では、図１に示す構成要素と同一の構成要素には同一の符号が付されている。
【００２５】
現像装置５０は、感光ドラム３２に近接して配置された現像スリーブ（現像ローラ）５２を備えている。現像スリーブ５２には、直流と交流が重畳されたバイアス電圧がバイアス電源（図示せず）によって印加されている。現像スリーブ５２とその内部のマグネットローラ５４とによって現像スリーブ５２の表面にトナーが穂状に形成されて付着し、この付着したトナーが感光ドラム３２に供給される。
【００２６】
現像スリーブ５２を挟んで感光ドラム３２とは反対側には、矢印Ｄ方向に回転する現像剤撹拌装置６０が配置されている。現像剤撹拌装置６０の回転軸７０（図３参照）が中心軸６２を中心にして矢印Ｄ方向に回転することによりトナーが撹拌されながら現像スリーブ５２に搬送される。現像スリーブ５２の近傍には、現像スリーブ５２の表面に形成された穂状のトナーの高さを規制するドクターブレード５６が固定されている。
【００２７】
このドクターブレード５６は、現像スリーブ５２に搬送されてきたトナーの一部を現像剤撹拌装置６０の側に押し戻す。これにより、現像スリーブ５２の表面に付着して搬送されてきた現像剤の高さが規制されて所定の高さになる。この所定の高さになった現像剤が現像スリーブ５２の回転に伴って感光ドラム３２に供給される。上記した現像剤撹拌装置６０の詳細な構造については後述する。
【００２８】
現像装置５０には、トナー５１が収容された現像剤収容容器５８が形成されている。現像剤収容容器５８には、中心軸５９ａを中心にして矢印Ｅ方向に回転する撹拌部材５９が配置されている。この撹拌部材５９が矢印Ｅ方向に回転することにより、現像剤収容容器５８に収容されているトナー５１が撹拌されながら現像剤撹拌装置６０に向けて搬送される。
【００２９】
図３を参照して現像剤撹拌装置６０を構成する部材について説明する。
【００３０】
図３（ａ）は、回転軸を示す正面図であり、（ｂ）は、駆動ギアを示す上面図であり、（ｃ）は、駆動ギアを示す側面図である。なお、回転軸と駆動ギアの大きさの比は、図４等に示すようなものであるが、図３では、駆動ギアを大きく描いている。
【００３１】
現像剤撹拌装置６０は、トナーを撹拌して搬送する回転軸７０と、この回転軸７０を回転させるための駆動ギア８０を有している。回転軸７０や駆動ギア８０から、本発明にいう回転ユニットの一例が構成されている。
【００３２】
回転軸７０は、矢印Ｆ方向（本発明に言う所定の長手方向の一例であり、図２の紙面に垂直な方向）に延びる中央軸７２と、この中央軸７２の長手方向一端から折れ曲がって中央軸７２とは反対の側に傾斜しながら延びる傾斜軸７４と、この傾斜軸７４の先端７４ａから折れ曲がって矢印Ｆ方向に沿うと共に中央軸７２から遠ざかる方向に延びる挿入軸７６を有する。傾斜軸７４が矢印Ｆ方向（挿入軸７６）に対して傾斜している角度β（本発明にいう第１傾斜角度の一例である）は、ここでは４５°である。なお、回転軸７０の長手方向他端部にも、上記の傾斜軸７４及び挿入軸７６と同様の傾斜軸７４’及び挿入軸７６’が形成されている。
【００３３】
駆動ギア８０は、円板状のギア９０と、このギア９０に直交する方向にギア９０の片面（一面）から突出したギア軸９２，９４とから構成される。ギア９０は、後述する挿入穴８２を延長した直線８２ｂを中心にして回転する。また、ギア軸９４はギア９０の一面から突出しており、このギア軸９４の先端からギア軸９２が突出している。なお、ギア９０、ギア軸９２，９４は一体的に形成されている。
【００３４】
ギア軸９２には、挿入軸７６が矢印Ｆ方向から挿入される挿入穴８２が形成されている。また、ギア軸９２には、挿入軸７６の挿入に伴って傾斜軸７４が嵌まり込んで固定されるスリット８４も形成されている。このスリット８４は、挿入穴８２を囲む外壁を切り欠くことにより形成されている。さらに、ギア軸９２には、挿入穴８２の入口８２ａから挿入穴８２の奥に向かって傾斜してスリット８４の入口８４ａにつながった傾斜面８６が形成されている。傾斜面８６が矢印Ｆ方向（挿入穴８２の延びる方向）に対して傾斜している角度α（本発明にいう第２傾斜角度の一例である）は、ここでは３０°である。従って、角度αと角度βを比べた場合、角度βのほうが大きい。なお、ギア軸９２の外壁には、後述する側壁１０４にギア軸９２を係止する係止爪８８が形成されている。
【００３５】
挿入軸７６が挿入穴８２に挿入されると共に、傾斜軸７４がスリット８４に嵌まり込んで固定されることにより、駆動ギア８０に回転軸７０が固定される。この固定された状態で駆動ギア８０を回転させることにより、挿入軸７６を延長した直線７６ａを中心にして回転軸７０が回転する。
【００３６】
図４から図６までを参照して、駆動ギア８０に回転軸７０を固定する手順を説明する。
【００３７】
図４は、挿入軸を一対の側壁の間に配置した状態を示す模式図である。図５は、駆動ギア８０を側壁の穴に差し込んだ状態を示す模式図である。図６は、挿入軸が挿入穴に挿入されると共に傾斜軸がスリットに嵌め込まれて固定された状態を示す模式図である。これらの図では、図３に示された構成要素と同一の構成要素には同一の符号が付されている。
【００３８】
プロセスカートリッジ１００（図２参照）には、一対の側壁１０２，１０４が形成されている。側壁１０２には、挿入軸７６’が挿入される穴１０２ａが形成されている。この穴１０２ａの内径は、挿入軸７６’が穴１０２ａに挿入された状態で自在に回転できるサイズである。側壁１０４には、ギア軸９２，９４が挿入される穴１０４ａが形成されている。この穴１０４ａの内径は、ギア軸９２，９４が穴１０４ａに挿入された状態で自在に回転できるサイズである。
【００３９】
プロセスカートリッジ１００を組み立てるために、駆動ギア８０に回転軸７０を固定するに当たっては、先ず、図４に示すように、回転軸７０を一対の側壁１０２，１０４の間に配置して、挿入軸７６’を穴１０２ａに挿入すると共に、挿入軸７６を穴１０４ａに挿入する。この状態で、図５に示すように、側壁１０４の外側から穴１０４ａに駆動ギア８０のギア軸９２，９４を差し込んで、ギア軸９２の挿入穴８２に回転軸７０の挿入軸７６を挿入し始める。その後、さらにギア軸９２，９４を側壁１０４に差し込む。
【００４０】
この差込の際、傾斜軸７４がスリット８４から離れているので傾斜軸７４がスリット８４に直ぐには嵌まり込まないことがある。このような場合であっても、ギア軸９２に形成された傾斜面８６がスリット８４の入口８４ａにつながっているので、挿入軸７６を挿入穴８２に挿入するに伴って回転軸７０が直線７６ａを中心にして回転すると共に傾斜軸７４が傾斜面８６に案内されて、図６に示すように、スリット８４の入口８４ａに到達する。この結果、傾斜軸７４はスリット８４にスムーズに嵌まり込んで固定される。従って、挿入軸７６を挿入穴８２に挿入して傾斜軸７４をスリット８４に嵌め込んで固定する際に、回転軸７０の中央軸７２が撓んだまま（変形したまま）にならない。このため、プロセスカートリッジ１００を組み立てる場合において、回転軸７０に駆動ギア８０を固定し、その後、現像スリーブ５２を組み込むとき、回転軸７０が撓まずに現像スリーブ５２の表面を傷付けることがない。なお、図６に示すように、ギア軸９２が穴１０４ａに完全に挿入されることにより、係止爪８８が側壁１０４の内壁面に突き当たるので、駆動ギア８０が側壁１０４から抜け落ちることが防止される。
【００４１】
図７を参照して、挿入軸７６を挿入穴８２に挿入するときの回転軸７０の動きを説明する。
【００４２】
図７（ａ）は、挿入軸が挿入穴に挿入されている途中で傾斜軸が傾斜面に当接している状態を示す正面図であり、（ｂ）は、（ａ）の側面図である。
【００４３】
図７（ｂ）に示すように、回転軸７０を側方から見た場合、傾斜軸７４が傾斜面８６（ギア軸９２）から受ける反力１０６のうち、上下方向の分力は分力１０８となる。分力１０８をギア軸９２の正面から見た場合、図７（ａ）に示すように、力線１１２で表されるベクトルとなる。
【００４４】
上述したように、挿入軸７６が挿入穴８２に挿入されており、この挿入軸７６を中心にして回転軸７０が回転できるので、力線１１２は回転力１１４となる。この結果、傾斜軸７４が傾斜面８６に当接した場合、回転軸７０が挿入軸７６を中心にして回転する。従って、傾斜軸７４が傾斜面８６に当接した状態から駆動ギア８０を側壁１０４（図４などを参照）にさらに押し込むことにより、回転軸７０が無理な変形をせずに（撓まずに）回転しながら、傾斜軸７４が傾斜面８６に案内されてスリット８４の入口８４ａに到達してその奥に入り込み、この結果、スリット８４に傾斜軸７４が嵌まり込んで固定される。これにより、上述したように、挿入軸７６を挿入穴８２に挿入して傾斜軸７４をスリット８４に嵌め込んで固定する際に、回転軸７０の中央軸７２が撓んだまま（変形したまま）にならない。
【００４５】
図８を参照して、上記した角度αと角度βの大小関係が異なる場合を説明する。
【００４６】
図８（ａ）は、角度βが角度αよりも大きいときに傾斜軸が傾斜面から受ける反力を示す模式図であり、（ｂ）は、角度βが角度αよりも小さいときに傾斜軸が傾斜面から受ける反力を示す模式図である。
【００４７】
ここで、傾斜軸７４から傾斜面８６が受ける力１２０に対する反力を反力１２２とする。この場合、角度βが角度αよりも大きいときは、図８（ａ）に示すように、反力１２２のうち、傾斜軸７４の先端における角度αに平行な分力は分力１２４となる。この分力１２４によって傾斜軸７４は傾斜面８６に倣って滑らかに回転するので、回転軸７０はさらに回転し易くなる。この結果、傾斜軸７４が傾斜面８６にいっそう容易に案内されてスリット８４の入口８４ａに到達してその奥に入り込み、スリット８４に傾斜軸７４が嵌まり込んで固定される。
【００４８】
一方、角度βが角度αよりも小さいときは、図８（ｂ）に示すように、上記した分力１２４とは反対の方向の分力１２８が発生する。この結果、傾斜軸７４は傾斜面８に倣わないため、回転軸７０は回転しにくくなる。従って、傾斜軸７４が傾斜面８６に案内されにくくなるので、角度βが角度αよりも大きいほうがよい。
【００４９】
【発明の効果】
以上説明したように本発明の回転ユニットでは、挿入軸を挿入穴に挿入する際に傾斜軸が駆動ギアのスリットから離れていても、傾斜面はスリットの入口につながっているので、挿入軸を挿入穴に挿入するに伴って回転軸が回転すると共に傾斜軸が傾斜面に案内されてスリットの入口に到達する。この結果、傾斜軸はスリットにスムーズに嵌まり込んで固定される。従って、挿入軸を挿入穴に挿入して傾斜軸をスリットに嵌め込んで固定する際に、回転軸が無理に撓まずに変形しない。このため、例えば現像装置においてトナーを撹拌するための回転ユニットとして本発明の回転ユニットを使用することにより、現像装置を組み立てるときに回転軸が撓んで現像スリーブ（現像ローラ）の表面を傷付けることがない。
【００５０】
ここで、前記駆動ギアは、前記挿入穴を延長した直線を中心にして回転する円板状のギアと、該ギアに直交する方向に該ギアの片面から突出したギア軸とを備え、該ギア軸は、前記挿入穴、前記傾斜面、及び該挿入穴を囲む外壁を切り欠くことにより形成されて該挿入穴と同じ方向に延びる前記スリットが形成されたものである場合は、比較的簡易な構成の駆動ギアが得られる。
【００５１】
さらに、前記傾斜軸が前記長手方向に対して傾斜している第１傾斜角度は、前記傾斜面が前記長手方向に対して傾斜している第２傾斜角度よりも大きい角度か、若しくは該第２傾斜角度と同じ角度である場合は、駆動ギアの挿入穴に回転軸の挿入軸を挿入する際に、回転軸がいっそう回転し易くなるので、この回転軸の変形をいっそう確実に防止できる。
【００５２】
さらに、前記回転軸は、その長手方向の両端部それぞれに前記傾斜軸及び前記挿入軸が形成されたものである場合は、回転軸の長手方向の両端部を区別せずにこの回転軸を使用できるので使い勝手の良い回転ユニットが得られる。
【００５３】
また、本発明の現像剤撹拌装置によれば、現像装置を組み立てるときに回転軸が撓んで現像ローラの表面を傷付けることがない。
【図面の簡単な説明】
【図１】本発明の現像剤撹拌装置の一実施形態を備えたプロセスカートリッジが組み込まれた複写機の内部構造を示す模式図である。
【図２】図１のプロセスカートリッジを示す模式図である。
【図３】（ａ）は、回転軸を示す正面図であり、（ｂ）は、駆動ギアを示す上面図であり、（ｃ）は、駆動ギアを示す側面図である。
【図４】挿入軸を一対の側壁の間に配置した状態を示す模式図である。
【図５】駆動ギアを側壁の穴に差し込んだ状態を示す模式図である。
【図６】挿入軸が挿入穴に挿入されると共に傾斜軸がスリットに嵌め込まれて固定された状態を示す模式図である。
【図７】（ａ）は、挿入軸が挿入穴に挿入されている途中で傾斜軸が傾斜面に当接している状態を示す正面図であり、（ｂ）は、（ａ）の側面図である。
【図８】（ａ）は、角度βが角度αよりも大きいときに傾斜軸が傾斜面から受ける反力を示す模式図であり、（ｂ）は、角度βが角度αよりも小さいときに傾斜軸が傾斜面から受ける反力を示す模式図である。
【符号の説明】
１０  複写機
５０  現像装置
６０  現像剤撹拌装置
７０  回転軸
７２  中央軸
７４  傾斜軸
７６  挿入軸
８０  駆動ギア
８２  挿入穴
８４  スリット
８６  傾斜面
９０  ギア
９２，９４  ギア軸
１０２，１０４  側壁
【図１】
0004605684.tif 000002
【図２】
0004605684.tif 000003
【図３】
0004605684.tif 000004
【図４】
0004605684.tif 000005
【図５】
0004605684.tif 000006
【図６】
0004605684.tif 000007
【図７】
0004605684.tif 000008
【図８】
0004605684.tif 000009